(57)【特許請求の範囲】
【請求項１】
前枠３裏側のベース枠５内に遊技盤８が収納セットされ、この遊技盤８の裏側に球タンク１３と誘導樋１４及び球払出装置２０を設置した裏機構板１０が設置され、該裏機構板１０の裏側下部に設けられた上皿用球案内手段５０により、前記球払出装置２０から払出された球を球通路樋３０の賞球用球通路３１と貸球用通路３２とに連通される払出通路３４から上皿用球放出口４，６，１１を介して上皿７側へ排出させて満杯状態後には下皿側へ排出させる一方、前記球払出装置２０から払出された球を通路切換部材４０の切換えにより前記払出通路３４とは分岐された球抜通路３５を介して機外裏側へ排出させる遊技機において、
前記上皿用球案内手段５０の主体部を構成する１つのカバー状に樹脂成形されて前記球払出装置２０から払出された球を、前記上皿７と下皿側そして機外との各方向に流通案内し得る通路部を形成した球受け案内部材５１が、前記裏機構板１０の裏側下部でかつ前記球払出装置２０の下部側部に隣接する位置に着脱可能にビス止めされており、
前記球受け案内部材５１では、上段部室の側端口が前記球払出装置２０の払出通路３４の下端出口と連通され、上段部室の前面側が前記上皿７側の前記球放出口１１の裏側開口面に連通され、上段部室内に前記払出通路３４から落下放出された球を受けて前記球放出口１１に通出案内する球受け部５２が形成されて該球受け部５２の底板部５５が前下り傾斜の棚板状に突設され、前記球受け部５２の横側に横U字状の球受け延長部６０が形成されて該球受け延長部６０には延長壁部６２が設けられ、該延長壁部６２の下部６３が傾斜にされて前記底板部５５に連接され、この底板部５５の側端に仕切壁部５６が起立状に形成されて、前記底板部５５上に充満して該仕切壁部５６から溢れ出た球を受け入れる入口７０ａが形成されると共に、前記底板部５５の下方に開口された下段部室内に前記入口７０ａから流入する球を下端に開口された下皿用球放出口７１から前記下皿側へ放出する下皿用球誘導路７０が形成され、該下皿用球誘導路７０の下側に区画形成されて前記球抜き通路３５から排出される抜き球を下端に開口された球抜排出口８５から機外下方に放出する球抜排出路８０が設けられていることを特徴とする遊技機。
【発明の詳細な説明】
【０００１】
【発明の属する技術分野】
この発明は、球払出装置の払出通路に送出された球を上皿に導く上皿用球案内手段を備えた遊技機に関する。
【０００２】
【従来の技術】
例えば、遊技機としてのパチンコ機において、図７と図８に示すように、遊技盤の裏面側に配設された裏機構板には、賞球、貸球に対応する数の球Ｂを払い出す球払出装置１２０が装着されている。球払出装置１２０の下流側には、球Ｂを案内する球通路が形成される球通路樋１３０が配設されている。この球通路樋１３０には、賞球用球通路１３１、貸球用球通路１３２、合流路１３３がそれぞれ形成されている。さらに、合流路１３３の下流側には、通路切換部材１４０によって切り換えられる払出通路１３４と球抜通路１３５とがそれぞれ形成されている。
そして、電磁ソレノイド１４２等によって通路切換部材１４０が、図の実線に示す第１位置に配置されたときには、合流路１３３が払出通路１３４に連通する。この状態において、球払出装置１２０から賞球用球通路１３１及び貸球用球通路１３２にそれぞれ払い出された球Ｂは、合流路１３３を通して払出通路１３４に送出される。
【０００３】
また、裏機構板には、払出通路１３４の出口（下流側）近傍において、球受け案内部材１５１が装着されている。
図８に示すように、球受け案内部材１５１には、払出通路１３４の出口から放出された球Ｂを受けて、前側の上皿用球放出口１５４に導く底板部１５５を有する球受け部１５２が形成されてる。この球受け部１５２の底板部１５５の一側には、払出通路１３４の出口と反対側において、上皿用球放出口１５４の一側に接近して略垂直状をなす側壁部１５７が形成されている。そして、払出通路１３４の出口から放出された球Ｂが底板部１５５上に当たって反射した場合、その球Ｂが側壁部１５７において受け止められるようになっている。
【０００４】
また、球受け案内部材１５１には、その球受け部１５２に対し、払出通路１３４の出口側に隣接して下皿用球誘導路１７０の入口部分１７０ａが形成されている。そして、上皿に溜められた球Ｂが満杯となり、球受け部１５２の底板部１５５上にも球Ｂが所定量だけ溜められた状態にあるときには、払出通路１３４の出口から球受け部１５２の底板部１５５に向けて放出された球Ｂは、その底板部１５５の仕切壁部１５６を乗り越えて下皿用球誘導路１７０の入口部分１７０ａに流れ、下皿用球誘導路１７０を通して下皿に放出されるようになっている。
【０００５】
【発明が解決しようとする課題】
ところで、球払出装置１２０による球Ｂの払出作用によって、払出通路１３４の出口から球受け部１５２の底板部１５５に向けて所定数の球Ｂが断続的又は連続的に送出される際、上皿に溜められた球Ｂが満杯になっていないにもかかわらず、その球Ｂの一部が下皿用球誘導路１７０の入口部分１７０ａに向けて不測に放出される場合がある。
すなわち、図８に示す構造をもつ球受け案内部材１５１において、払出通路１３４の出口から送出される球Ｂのうち、一部の球Ｂは球受け部１５２の底板部１５５に勢いよく衝突することがある。
すると、球受け部１５２の底板部１５５に勢いよく衝突した球Ｂが、側壁部１５７に向けて跳ね上がり、その後、側壁部１５７に当たって、下皿用球誘導路１７０に向けて跳ね返る。跳ね返った球Ｂは、直接的に下皿用球誘導路１７０の入口部分１７０ａに流れたり、あるいは、跳ね返った球Ｂに対し、払出通路１３４の出口から送出された球Ｂが衝突して、その球Ｂが下皿用球誘導路１７０の入口部分１７０ａに流れる不具合が発生する。
このようにして、払出通路１３４の出口から送出される球Ｂの一部が不測に下皿用球誘導路１７０の入口部分１７０ａに流れ、下皿用球誘導路１７０を通して下皿に放出されると、その下皿の球Ｂを上皿に移し換える手間を遊技者に強いることとなる。これによって、遊技者に対し不快感を与えたり、遊技の興趣を減じるという問題点があった。
【０００６】
この発明の目的は、前記問題点に鑑み、球受け部に勢いよく衝突して跳ね上がる球が原因となって、払出通路の出口から送出された球が不測に下皿用球誘導路の入口部分に流れる不具合を防止することができる遊技機を提供することである。
【０００７】
【課題を解決するための手段】
前記目的を達成するために、第１の発明は、請求項１に記載されたとおりの構成を要旨とする。
したがって、上皿の球が満杯となっていない状態において、球払出装置から払出通路の出口から送出される球が勢いよく球受け部に送出されると、その球が球受け部の底板部に衝突して跳ね上がる。跳ね上がった球は、球受け延長部において受けられ、球の勢いが弱められる。
このため、払出通路出口から送出される球が球受け部の底板部に勢いよく衝突したとしても、その球が下皿用球誘導路の入口部分に向けて跳ね返る不具合が防止される。この結果、上皿の球が満杯となっていない状態において、払出通路の出口から送出される球が不測に下皿用球誘導路の入口部分に流れる不具合が解消される。
【０００８】
また、球受け延長部の延長壁部が、球受け部の底板部の端部から連続して延びる凹湾曲状に形成されることで、球受け部の底板部に衝突して跳ね上がった球は延長壁部の凹湾曲において受け止められ、球の勢いが弱められる。このため、球が下皿用球誘導路の入口部分に向けて跳ね返る不具合をより一層確実に防止することができる。
【０００９】
【発明の実施の形態】
この発明の実施の形態を図１〜図６にしたがって説明する。
図１において、遊技機としてのパチンコ機１は、その木枠２の前側に前枠３が開閉可能に装着されている。前枠３の裏面には、その開口部の周縁部においてベース枠５が組み付けられている。ベース枠５の枠内には、遊技盤８が着脱可能に装着され、遊技盤８には、一般入賞口、特定入賞口、ゲート口等を有する役物装置や表示装置等が配設されている。さらに、遊技盤８の裏面側には、収納ボックス９に収納された状態でメイン制御装置（制御基板とも呼ばれている）９ａが配設されている。
【００１０】
遊技盤８の裏面側には、メイン制御装置９ａを取り囲むようにして裏機構板（裏セット板とも呼ばれている）１０が装着されている。
裏機構板１０の後面側には、その上部から下部に向けて球タンク１３、誘導樋（タンクレールとも呼ばれている）１４、上部払出樋１５、球払出装置２０及び球通路樋３０が順次に連通して配設されている。
球払出装置２０は、パチンコ機１がＣＲ機である場合を考慮して賞球に対応する球Ｂの払い出し機能と、貸球に対応する球Ｂの払い出し機能とを兼ね備えている。また、パチンコ機１が一般機である場合には、貸球に対応する球Ｂの払い出し機能が必要ないため、その貸球に対応する球Ｂの払い出し機能を球抜き機能として利用することで、ＣＲ機と、一般機とに兼用して使用できるようになっている。
図２に示すように、球払出装置２０は、その本体ケースに対し、回転供給体、賞球用払出通路、貸球用払出通路等がそれぞれ設けられて１つのユニットをなしている。
【００１１】
球払出装置２０の賞球用払出通路と、貸球用払出通路との各払出口（下流側）には、球通路樋３０が配設されている。この球通路樋３０には、球払出装置２０の賞球用払出通路と、貸球用払出通路との各払出口にそれぞれ連通する賞球用球通路３１と、貸球用球通路３２とがそれぞれ形成される。
さらに、賞球用球通路３１と、貸球用球通路３２との下流側には、これら２系統の通路を合流する合流路３３が形成されている。合流路３３は、２系統の通路に分岐され、その２系統の分岐路のうち、一方の分岐路を払出通路３４とし、他方の分岐路を球抜通路３５としている。
【００１２】
払出通路３４と球抜通路３５との分岐部には、通路切換部材４０が装着されている。この通路切換部材４０は、電磁ソレノイド４２を駆動源として第１・第２の両切換位置に配置切換される。
すなわち、通路切換部材４０が、図３において実線位置に示す第１切換位置に配置されたときに、払出通路３４を開きかつ球抜通路３５を閉じる。通路切換部材４０が、図３において２点鎖線位置に示す第２切換位置に配置切換されたときに、払出通路３４を閉じかつ球抜通路３５を開く。そして、通路切換部材４０が第１位置に配置された状態において、球払出装置２０から賞球用球通路３１及び貸球用球通路３２にそれぞれ払い出された球Ｂは、合流路３３を通して払出通路３４にそれぞれ送出されるようになっている。
【００１３】
図３と図４に示すように、裏機構板１０には、球通路樋３０の下部側方に隣接し、かつ払出通路３４に送出された球Ｂを上皿７に導く上皿用球案内手段５０が装着されている。なお、図４に示すように、上皿７は、前枠３の下部に開閉可能に装着された前板３ａの前面に装着されている。
また、前板３ａ、ベース枠５及び裏機構板１０の所定位置には、上皿７の球放出口に向けて球Ｂを案内する上皿用球放出口４、６、１１がそれぞれ連通して形成されている。これら各上皿用球放出口４、６、１１の底板部は、後側の上皿用球放出口１１から前側の上皿用球放出口４に向けて下傾する傾斜面に形成され、これによって、裏機構板１０の上皿用球放出口４に放出された球Ｂが上皿７の底板部に向けて流れるようになっている。
【００１４】
上皿用球案内手段５０は、球受け案内部材５１を主体として構成されている。球受け案内部材５１は、払出通路３４の出口（下流側）に隣接して裏機構板１０に装着されている。
球受け案内部材５１には、払出通路３４の出口から送出された球Ｂを受ける球受け部５２が裏機構板１０の上皿用球放出口１１を覆うようにして形成されている。また、球受け部５２の底板部５５は、上皿用球放出口１１の底板部に向けて下傾する傾斜面に形成されている。そして、払出通路３４の出口から放出された球Ｂが球受け部５２の底板部５５において受けられると、その球Ｂが底板部５５の前側の上皿用球放出口１１に導かれるようになっている。
また、球受け案内部材５１には、払出通路３４の出口側寄りにおいて、球受け部５２に隣接する下皿用球誘導路７０の入口部分７０ａが形成されている。さらに、球受け部５２の底板部５５の一端部には球受け部５２と下皿用球誘導路７０の入口部分７０ａとを仕切る仕切壁部５６が所定高さだけ突設されている。
【００１５】
球受け案内部材５１の球受け部５２には、払出通路３４の出口から送出される球Ｂの送出方向に延びて球Ｂの跳ね返りを防止する略ポケット状の球受け延長部６０が形成されている。この球受け延長部６０は、球受け部５２の底板部５５の端部から連続して延長された凹湾曲状の延長壁部６２を備えている。
また、延長壁部６２の下部６３は、その中央湾曲部６４の下端から球受け部５２の底板部５５の端部に向けて比較的緩やかに下傾する傾斜状に形成されている。延長壁部６２の上部６５は、球受け部５２の上板部５８の端部に向けて折り返し状に形成され、その先端部が上板部５８の端部に略同一面をなして一体に連続している。
また、球受け案内部材５１には、球通路樋３０の球抜通路３５の出口に連通する球抜排出路８０が、下皿用球誘導路７０の下方に位置して設けられている。そして、球抜排出路８０の下端は球抜排出口８５として開口している。
【００１６】
なお、この実施の形態において、図１に示すように、裏機構板１０の後面側の上部には、ホールの管理室等に設置されるコンピュータに対しパチンコ機１の各種の情報を出力するための複数の出力端子８１、８２、８３、８４がそれぞれ配設されている。複数の接続端子のうち、１つ目の接続端子８１は、前枠３または前枠３に開閉可能に装着されたガラス枠の開放信号を出力する出力端子に用いることができる。また、２つ目の接続端子８２は、球払出装置２０が貸球に対応して作動しているときの貸球作動信号を出力する出力端子に用いることができる。３つ目の接続端子８３は、通路切換部材４０が第２位置に切り換えされてかつ球払出装置２０が作動された状態で球抜が行われているときの球抜き作動信号を出力する出力端子に用いることができる。
【００１７】
このように、パチンコ機１の各種の情報を出力する複数の接続端子を配設して、ホールの管理室等に設置されるコンピュータに電気的に接続することで、ホールの管理室等においてパチンコ機１の各種の情報を容易に認識することができる。そして、ホールの管理室等のコンピュータからパチンコ機１の各種の情報に対応する信号、例えば、ランプ点灯信号をランプ回路に出力してパチンコ機１の近傍に設置のランプを点灯させることで、各種の情報を表示することが可能となる。
【００１８】
さて、上述したように構成されるこの実施の形態において、球抜きを行わない通常時において、通路切換部材４０は、払出通路３４を開きかつ球抜通路３５を閉じる第１切換位置（図３において実線位置に示す位置）に配置される。
通路切換部材４０が第１切換位置に配置された状態において、球払出装置２０から賞球としての所要数の球Ｂ、又は貸球としての所要数の球Ｂが、球通路樋３０の賞球用球通路３１又は貸球用球通路３２に送出されると、その球Ｂは、合流路９０、及び払出通路３４を経て、その払出通路３４の出口から球受け案内部材５１の球受け部５２に向けて送出される。
図４に示すように、球受け案内部材５１の球受け部５２に向けて送出された球Ｂは、球受け部５２の底板部５５において受け止められ、その底板部５５から裏機構板１０の上皿用球放出口１１の底面、ベース枠５の上皿用球放出口６の底面及び前板３ａの上皿用球放出口４の底面を順に流れて上皿７に放出される。
【００１９】
前記したように、上皿７に放出され、その上皿７に溜められた球Ｂが満杯となると、球受け部５２の底板部５５上にも球Ｂが所定量だけ溜められる。この状態において、払出通路３４の出口から球受け部５２の底板部５５に向けて放出された球Ｂは、その底板部５５の仕切壁部５６を乗り越えて下皿用球誘導路７０の入口７０ａに流れ、下皿用球誘導路７０を通して、その下流端の下皿用球放出口７１から下皿に放出される。
【００２０】
上皿７の球が満杯となっていない状態において、図３に示すように、払出通路３４の出口から送出される球Ｂのうち、一部の球Ｂが勢いよく球受け部５２の底板部５５に送出されると、その球Ｂが球受け部５２の底板部５５に衝突し、球受け延長部６０の室内に向けて跳ね上がる場合がある。
球受け延長部６０は、払出通路３４の出口から球Ｂの送出方向に延びているため、その球受け延長部６０の室内において、跳ね上がった球Ｂの勢いが弱められる。
【００２１】
すなわち、球受け延長部６０の室内に跳ね上がった球Ｂは、その勢いが弱められながら凹湾曲状の延長壁部６２、主として延長壁部６２の下部６３において受け止められる。そして、延長壁部６２の下部６３に受け止められた球Ｂは、その下部６３の緩やかな傾斜面に沿って球受け部５２の底板部５５上に流れる。
このため、払出通路３４の出口から送出される球Ｂが球受け部５２の底板部５５に勢いよく衝突したとしても、その球Ｂが下皿用球誘導路７０の入口部分７０ａに向けて跳ね返る不具合が防止される。この結果、上皿７の球Ｂが満杯となっていない状態において、払出通路３４の出口から送出される球Ｂが不測に下皿用球誘導路７０の入口部分７０ａに流れる不具合を解消することができる。
【００２２】
なお、前記実施の形態において、払出通路３４の出口に通じる球受け案内部材５１において、その球受け延長部６０の延長壁部６２の下部６３が、球受け部５２の底板部５５の端部に向けて緩やかに下傾する傾斜面に形成される場合を例示したが、これに限定するものではない。
例えば、図５に示すように、球受け延長部６０の延長壁部６２の下部６３が、球受け部５２の底板部５５の端部から延長壁部６２の中央湾曲部６４に連続して湾曲する凹湾曲面に形成されてもよい。
また、前記実施の形態において、球払出装置２０の略直下に位置して払出通路３４が略垂下状に設けられた場合を例示したが、これに限定するものではない。例えば、図６に示すように、球払出装置２０の下部側方から斜め傾斜状に払出通路３４が形成されてもよい。この場合、払出通路３４の出口に通じる球受け案内部材５１の球受け部５２には、その球受け部５２に対する球の送出方向に延びて球Ｂの跳ね返りを防止する凹湾曲状の延長壁部６２を有する球受け延長部６０が形成される。
また、球受け案内部材５１には、払出通路３４の出口側寄りにおいて、球受け部５２に隣接する下皿用球誘導路７０の入口部分７０ａが形成されている。
【００２３】
【発明の効果】
以上述べたように、この発明によれば、球受け部に勢いよく衝突して跳ね上がる球が原因となって、払出通路の出口から送出された球が不測に下皿用球誘導路に流れる不具合を防止することができる。このため、下皿用球誘導路の入口部分に不測に流れて下皿に放出される球を上皿に移し換える手間を遊技者に強いることを解消するができ、遊技者に対し不快感を与えたり、遊技の興趣を減じることを防止することができる。
【図面の簡単な説明】
【図１】この発明の実施の形態のパチンコ機の全体を示す背面図である。
【図２】同じく球払出装置、払出通路を有する球通路樋、及び上皿用球案内手段の球受け案内部材の関係を破断して示す背面図である。
【図３】同じく払出通路と、球受け案内部材の球受け部及び球受け延長部の関係を破断して示す背面図である。
【図４】同じく図３のＩＶ−ＩＶ線に基づく側断面図である。
【図５】同じく球受け案内部材の球受け延長部の延長壁部の変更例を示す説明図である。
【図６】この発明の他の実施の形態の球払出装置、払出通路、球受け案内部材の球受け部及び球受け延長部の関係を示す説明図である。
【図７】従来のパチンコ機の全体を示す背面図である。
【図８】同じく払出通路と球受け案内部材の関係を破断して示す背面図である。
【符号の説明】
１  パチンコ機（遊技機）
２０  球払出装置
３０  球通路樋
３１  賞球用球通路
３２  貸球用球通路
３４  払出通路
４０  通路切換部材
５０  上皿用球案内手段
５１  球受け案内部材
５２  球受け部
６０  球受け延長部
６２  延長壁部
６３  下部
７０ａ  下皿用球誘導路の入口部分
【図１】
0004418994.tif 000002
【図２】
0004418994.tif 000003
【図３】
0004418994.tif 000004
【図４】
0004418994.tif 000005
【図５】
0004418994.tif 000006
【図６】
0004418994.tif 000007
【図７】
0004418994.tif 000008
【図８】
0004418994.tif 000009